(57)【要約】      （修正有）【課題】接続部を有し液体を収容する収容体を、接続部と接続可能な接続部と液体の導入部とを有する収容体の装着部に、装着した際の、不具合を抑制した記録装置を提供する。【解決手段】第１接続部２０ａ及び２０ｂを有し、液体を収容する収容体５ａ及び５ｂを装着し、第１接続部２０ａ及び２０ｂと電気的に接続可能な第２接続部２１ａ及び２１ｂと、前記液体を導入する導入部１０と、導入部１０から導出された液体を吐出し、被記録媒体に記録を行う記録ヘッドとを有する装着部６と、装着部６が取り付けられるキャリッジ３と、を備える。【選択図】図５
2015116721.tif 000002
【特許請求の範囲】
【請求項１】
第１接続部を有し、液体を収容する収容体を装着し、
前記第１接続部と電気的に接続可能な第２接続部と、前記液体を導入する導入部と、前
記導入部から導出された前記液体を吐出し、被記録媒体に記録を行う記録ヘッドと、を有
する装着部と、
前記装着部が取り付けられるキャリッジと、を備えることを特徴とする記録装置。
【請求項２】
請求項１に記載の記録装置において、
前記装着部は、該装着部に対する前記収容体の位置を決める第１位置決め部を有し、
前記第１位置決め部は、３次元方向に位置決めすることを特徴とする記録装置。
【請求項３】
請求項２に記載の記録装置において、
前記第１位置決め部は、前記収容体の移動を規制する規制部と前記収容体を前記規制部
に向けて付勢する付勢部とを有することを特徴とする記録装置。
【請求項４】
請求項１から３のいずれか１項に記載の記録装置において、
前記装着部は、前記収容体を囲う壁部が設けられていることを特徴とする記録装置。
【請求項５】
請求項１から４のいずれか１項に記載の記録装置において、
前記装着部は、前記収容体の移動を規制する規制部を有し、
前記第１接続部と前記第２接続部とを接続した際の反力により前記収容体を前記規制部
に向けて付勢するように構成されていることを特徴とする記録装置。
【請求項６】
請求項１から５のいずれか１項に記載の記録装置において、
前記装着部は、該装着部に対する前記第２接続部の位置を決める第２位置決め部を有す
ることを特徴とする記録装置。
【発明の詳細な説明】
【技術分野】
【０００１】
本発明は、記録装置に関する。
【背景技術】
【０００２】
従来から、液体収容装置に収容された液体としてのインクを被記録媒体に吐出して記録
する記録装置が使用されている。このような記録装置のうち、インクを収容したインクカ
ートリッジ等の収容体を、記録ヘッドが設けられたホルダー等の装着部に、装着させる構
成の、液体収容装置を備えるものが多く使用されている。  
例えば、特許文献１には、収容体としてのインクカートリッジと該インクカートリッジ
の装着部としてのヘッドホルダーとを有する液体収容装置を備えた記録装置が開示されて
いる。  
また、近年、インクカートリッジ等の収容体及びその装着部に、様々な情報の入出力を
可能にする接続部が設けられた液体収容装置が使用されている。
【先行技術文献】
【特許文献】
【０００３】
【特許文献１】特許第３２４８８３１号公報
【発明の概要】
【発明が解決しようとする課題】
【０００４】
上記のように、近年、収容体及びその装着部に、様々な情報の入出力を可能にする接続
部が設けられた液体収容装置が使用されているが、接続部（接続端子）間の接点不良等、
収容体を装着部に装着した際に不具合が発生する場合があった。  
なお、特許文献１に開示される記録装置においては、接続部間の接点不良等の、収容体
を装着部に装着した際の不具合に関する記載はなく、該不具合を抑制できる構成にはなっ
ていなかった。
【０００５】
そこで、本発明の目的は、接続部を有し液体を収容する収容体を、前記接続部と接続可
能な接続部と前記液体の導入部とを有する前記収容体の装着部に、装着した際の、不具合
を抑制することである。
【課題を解決するための手段】
【０００６】
上記課題を解決するための本発明の第１の態様の記録装置は、第１接続部を有し、液体
を収容する収容体を装着し、前記第１接続部と電気的に接続可能な第２接続部と、前記液
体を導入する導入部と、前記導入部から導出された前記液体を吐出し、被記録媒体に記録
を行う記録ヘッドと、を有する装着部と、前記装着部が取り付けられて移動するキャリッ
ジと、を備えることを特徴とする。
【０００７】
本態様によれば、前記収容体が装着される前記装着部に、前記収容体に設けられる前記
第１接続部と接続される前記第２接続部が設けられる。このため、装着部と被装着部とに
接続部が設けられる構成となり、前記第２接続部が前記装着部以外に設けられる構成、例
えば、前記第２接続部が前記キャリッジに設けられる構成等よりも、前記第１接続部と前
記第２接続部との間の接点不良等を抑制することができる。すなわち、前記収容体を前記
装着部に装着した際の不具合を抑制することができる。
【０００８】
本発明の第２の態様の記録装置は、前記第１の態様において、前記装着部は、該装着部
に対する前記収容体の位置を決める第１位置決め部を有し、前記第１位置決め部は、３次
元方向に位置決めすることを特徴とする。
【０００９】
本態様によれば、前記第１位置決め部により前記装着部に対する前記収容体の位置が３
次元方向に決められる。このため、前記収容体を前記装着部に対して適切な位置に固定で
きることで、前記第１接続部と前記第２接続部との間の接点不良等を抑制することができ
る。すなわち、効果的に前記収容体を前記装着部に装着した際の不具合を抑制することが
できる。
【００１０】
本発明の第３の態様の記録装置は、前記第２の態様において、前記第１位置決め部は、
前記収容体の移動を規制する規制部と前記収容体を前記規制部に向けて付勢する付勢部と
を有することを特徴とする。
【００１１】
本態様によれば、前記第１位置決め部は、前記規制部と前記付勢部とを有する。このた
め、前記第１位置決め部を、前記規制部と前記付勢部とにより簡単に構成することができ
る。
【００１２】
本発明の第４の態様の記録装置は、前記第１から第３のいずれか１つの態様において、
前記装着部は、前記収容体を囲う壁部が設けられていることを特徴とする。
【００１３】
本態様によれば、前記装着部は、前記収容体を囲う壁部が設けられている。このため、
前記装着部は、前記壁部により前記収容体をより確りと位置決め可能になり、効果的に前
記収容体を前記装着部に装着した際の不具合を抑制することができる。
【００１４】
本発明の第５の態様の記録装置は、前記第１から第４のいずれか１つの態様において、
前記装着部は、前記収容体の移動を規制する規制部を有し、前記第１接続部と前記第２接
続部とを接続した際の反力により前記収容体を前記規制部に向けて付勢するように構成さ
れていることを特徴とする。
【００１５】
本態様によれば、前記装着部は、前記第１接続部と前記第２接続部とを接続した際の反
力により前記収容体を前記規制部に向けて付勢するように構成されている。このため、別
途付勢部を構成する必要が無いため、前記装着部を低コストで作製することができる。
【００１６】
本発明の第６の態様の記録装置は、前記第１から第５のいずれか１つの態様において、
前記装着部は、該装着部に対する前記第２接続部の位置を決める第２位置決め部を有する
ことを特徴とする。
【００１７】
本態様によれば、前記装着部は前記第２位置決め部を有するので、前記装着部に対して
前記第２接続部を適切な位置に固定できることで、前記第１接続部と前記第２接続部との
間の接点不良等を効果的に抑制することができる。すなわち、前記収容体を前記装着部に
装着した際の不具合を効果的に抑制することができる。
【図面の簡単な説明】
【００１８】
【図１】本発明の一実施例に係る記録装置を表す概略斜視図。
【図２】本発明の一実施例に係る液体収容装置を表す概略斜視図。
【図３】本発明の一実施例に係る液体収容装置のインクカートリッジの装着部を表す概略斜視図。
【図４】本発明の一実施例に係る液体収容装置のインクカートリッジを表す概略斜視図。
【図５】本発明の一実施例に係る液体収容装置を表す分解斜視図。
【図６】本発明の一実施例に係る液体収容装置を表す分解斜視図。
【図７】本発明の一実施例に係る液体収容装置を表す概略側面断面図。
【図８】本発明の一実施例に係る液体収容装置を表す概略側面断面図。
【図９】本発明の一実施例に係る液体収容装置を表す概略正面断面図。
【図１０】本発明の一実施例に係る液体収容装置を表す概略側面断面図。
【図１１】本発明の一実施例に係る液体収容装置を表す概略背面断面図。
【発明を実施するための形態】
【００１９】
以下に、本発明の一実施例に係る液体収容装置及び該液体収容装置を備える記録装置に
ついて、添付図面を参照して詳細に説明する。  
最初に、本発明の一実施例に係る記録装置について説明する。なお、該記録装置は、本
発明の一実施例に係る液体収容装置を備える記録装置であるが、本発明の液体収容装置は
、記録装置に備えられるものに限定されず、また、液体収容装置に収容される液体はイン
クに限定されない。  
図１は本実施例に係る記録装置１の概略斜視図を表している。
【００２０】
本実施例の記録装置１は、不図示の搬送部により搬送方向Ａに搬送される被記録媒体Ｐ
に対して、被記録媒体Ｐと対向する側にインクを吐出する記録ヘッド４（図６参照）が備
えられた液体収容装置２を、搬送方向Ａと交差する方向Ｂに往復移動させて記録を実行す
る。  
詳細には、被記録媒体Ｐの搬送方向Ａと交差する方向Ｂに記録ヘッド４をキャリッジ３
（図６参照）に搭載して往復移動（往復走査）させつつ、複数のノズルが設けられたノズ
ル面Ｆ（図６参照）の該ノズルからインクを吐出して記録する。  
ここで、方向Ｘは方向Ｂに対応し、方向Ｙは搬送方向Ａに対応し、方向Ｚは鉛直方向に
対応する。
【００２１】
なお、本実施例の記録装置１は、記録ヘッド４を往復走査させて記録を実行する構成で
あるが、インクを吐出するノズルを搬送方向Ａと交差する方向Ｂに複数設けた所謂ライン
ヘッドを備える構成でもよい。  
ここで、「ラインヘッド」とは、被記録媒体Ｐの搬送方向Ａと交差する方向Ｂに形成さ
れたノズルの領域が、方向Ｂ全体をカバー可能なように設けられ、記録ヘッド又は被記録
媒体の一方を固定し他方を移動させて画像を形成する記録装置に用いられる記録ヘッドで
ある。なお、ラインヘッドの方向Ｂのノズルの領域は、記録装置が対応している全ての被
記録媒体Ｐの方向Ｂ全体をカバー可能でなくてもよい。  
また、記録ヘッドのノズル領域を、被記録媒体Ｐの搬送方向Ａと交差する方向Ｂ全体を
カバー可能なように設け、記録ヘッド又は被記録媒体の両方を移動させて画像を形成して
もよい。
【００２２】
また、本実施例の記録装置１は、記録部としての記録ヘッド４に対して被記録媒体Ｐを
搬送（移動）して記録する構成であるが、被記録媒体Ｐに対して記録部を移動する構成と
してもよいし、被記録媒体Ｐと記録部との両方を移動させる構成としてもよい。  
さらに、メンテナンス機構や被記録媒体Ｐに吐出されたインクの乾燥機構等、従来の記
録装置が備える構成要素の少なくとも１つを備えていてもよい。
【００２３】
次に、本実施例の液体収容装置２について説明する。  
図２は、本実施例の液体収容装置２を表す概略斜視図である。また、図３は、本実施例
の液体収容装置２におけるインクカートリッジ５ａ及び５ｂの装着部６を表す概略斜視図
である。また、図４は、本実施例の液体収容装置２におけるインクカートリッジ５ａ及び
５ｂを表す概略斜視図である。また、図５及び図６は、本実施例の液体収容装置２を表す
分解斜視図である。
【００２４】
図２、図５及び図６で表されるように、本実施例の液体収容装置２は、キャリッジ３、
インクカートリッジ５ａ及び５ｂ、並びに、インクカートリッジ５ａ及び５ｂの装着部６
を備えている。
【００２５】
ここで、インクカートリッジ５ａはブラックインクを収容するインクカートリッジであ
り、インクカートリッジ５ｂはシアンインク、マゼンタインク及びイエローインクを収容
するインクカートリッジである。  
そして、インクカートリッジ５ａには固定部７ａが設けられており、固定部７ａが装着
部６に設けられた固定部８ａに対して固定される。同様に、インクカートリッジ５ｂには
固定部７ｂが設けられており、固定部７ｂが装着部６に設けられた固定部８ｂに対して固
定される。  
また、図４及び図６で表されるように、インクカートリッジ５ａ及び５ｂの底面側には
、インクを装着部６側に供給するためのインク供給口９が設けられている。
【００２６】
また、図６で表されるように、装着部６の底面側には記録ヘッド４が設けられており、
図５及び図６で表されるように、キャリッジ３の底面部２３における記録ヘッド４の位置
に対応する位置には孔部１１が設けられている。
【００２７】
また、図３及び図５で表されるように、装着部６には、インクカートリッジ５ａ及び５
ｂのインク供給口９に対応する位置、即ち装着部６にインクカートリッジ５ａ及び５ｂを
装着した際にインク供給口９と対向する位置に、インク導入部１０が設けられている。装
着部６にインクカートリッジ５ａ及び５ｂが装着されると、インク供給口９にインク導入
部１０が嵌る。このような構成とすることでインクカートリッジ５ａ及び５ｂから装着部
６にインクを供給することが可能になっている。そして、記録ヘッド４は、インク導入部
１０から導出されたインクを吐出し、被記録媒体Ｐに記録を行う。  
なお、図３で表されるように、装着部６には、バネ３２が設けられており、インクカー
トリッジ５ａ及び５ｂに対して、装着部６から離間させる方向に力を加えることが可能な
構成となっている。
【００２８】
また、図５で表されるように、インクカートリッジ５ａには第１接続部２０ａが設けら
れる基板２２ａが取り付けられており、インクカートリッジ５ｂには第１接続部２０ｂが
設けられる基板２２ｂが取り付けられている。  
そして、図５及び図６で表されるように、装着部６には、第２接続部２１ａと第２接続
部２１ｂとを有するコネクターユニット２９と、基板１３とが、取り付けられる。ここで
、第２接続部２１ａは第１接続部２０ａと電気的に接続可能な接続部であって、第２接続
部２１ｂは第１接続部２０ｂと接続可能な接続部である。なお、コネクターユニット２９
に設けられたネジ穴１６に、基板１３に設けられたネジ穴１４を介してネジ１５を嵌める
ことにより、コネクター部２９は基板１３に取り付けられる。そして、コネクターユニッ
ト２９が取り付けられた基板１３にカバー１２が嵌められる。  
なお、コネクターユニット２９の第２接続部２１ａ及び２１ｂが設けられた側とは反対
側には第３接続部３６ａ及び３６ｂが設けられており、第３接続部３６ａ及び３６ｂと基
板１３に設けられた第４接続部３７ａ及び３７ｂとが接続するように、コネクターユニッ
ト２９と基板１３とは取り付けられる。
【００２９】
次に、装着部６に対するインクカートリッジ５ａ及び５ｂの位置を決める位置決め構成
と、装着部６に対する第２接続部２１ａ及び２１ｂの位置決め構成について説明する。  
図７は本実施例の液体収容装置２を表す概略側面断面図であり、図８は図７とは異なる
位置における本実施例の液体収容装置２を表す概略側面断面図である。また、図９は、本
実施例の液体収容装置２を表す概略正面断面図である。また、図１０は、図７及び図８と
は異なる位置における本実施例の液体収容装置２を表す概略側面断面図である。そして、
図１１は、本実施例の液体収容装置２を表す概略背面断面図である。
【００３０】
図３、図５及び図７で表されるように、本実施例の液体収容装置２の装着部６は、該装
着部６に対するインクカートリッジ５ａ及び５ｂの方向Ｙの位置を決める第１位置決め部
としての規制部１７を有している。規制部１７は、図４、図６及び図７で表されるインク
カートリッジ５ａ及び５ｂの被規制部２４と当接することにより、インクカートリッジ５
ａ及び５ｂの方向Ｙの移動を規制する。
【００３１】
なお、インクカートリッジ５ａ及び５ｂは、第１接続部２０ａ及び２０ｂと第２接続部
２１ａ及び２１ｂとを接続した際の反力により、規制部１７に向けて方向Ｙへ付勢するよ
うに構成されている。このため、方向Ｙへ付勢する付勢部を別途構成する必要が無いため
、装着部６を低コストで作製している。
【００３２】
また、図３、図５、図６及び図８で表されるように、本実施例の液体収容装置２の装着
部６は、該装着部６に対するインクカートリッジ５ａ及び５ｂの方向Ｚの位置を決める第
１位置決め部としての規制部１８及び１９を有している。規制部１８は、図６及び図８で
表されるインクカートリッジ５ａ及び５ｂの被規制部２５と当接することにより、インク
カートリッジ５ａ及び５ｂの方向Ｚの移動を規制する。そして、規制部１９は、図４、図
５及び図８で表されるインクカートリッジ５ａ及び５ｂの被規制部２６と当接することに
より、インクカートリッジ５ａ及び５ｂの方向Ｚの移動を規制する。
【００３３】
なお、インクカートリッジ５ａ及び５ｂは、図３で表される付勢部としてのバネ３２に
より方向Ｚに力が加えられ、バネ３２の付勢力により、規制部１８及び１９に被規制部２
５及び２６が付勢される。このような構成により、方向Ｚへ付勢する付勢部をバネ３２に
より簡単に構成し、第１位置決め部をバネ３２と規制部１８及び１９とにより簡単に構成
している。  
特に、本実施例のように、第１接続部２０ａ及び２０ｂと第２接続部２１ａ及び２１ｂ
とを接続した際の反力により規制部１７に向けて方向Ｙへ付勢するように構成され、バネ
３２により方向Ｚへ付勢するように構成されていると、低コストで高い精度で位置決めで
きるため特に好ましい。
【００３４】
また、図３、図５及び図９で表されるように、本実施例の液体収容装置２の装着部３は
、該装着部３に対するインクカートリッジ５ａ及び５ｂの方向Ｘの位置を決める第１位置
決め部としての規制部２７を有している。規制部２７は、図４、図６及び図９で表される
インクカートリッジ５ａ及び５ｂの被規制部２８と当接することにより、インクカートリ
ッジ５ａ及び５ｂの方向Ｘの移動を規制する。
【００３５】
このように、本実施例の液体収容装置２及び記録装置１は、第１接続部２０ａ及び２０
ｂを有し、インクを収容するインクカートリッジ５ａ及び５ｂと、第１接続部２０ａ及び
２０ｂと接続可能な第２接続部２１ａ及び２１ｂとインク導入部１０とを有する装着部６
と、装着部６が取り付けられて方向Ｂに移動するキャリッジ３と、を備えている。  
このため、装着部と被装着部とに接続部が設けられる構成となり、第２接続部２１ａ及
び２１ｂが装着部６以外に設けられる構成、例えば、第２接続部２１ａ及び２１ｂがキャ
リッジ３に設けられる構成等よりも、第１接続部２０ａ及び２０ｂと第２接続部２１ａ及
び２１ｂとの間の接点不良等を抑制することができる。すなわち、インクカートリッジ５
ａ及び５ｂを装着部６に装着した際の不具合を抑制している。
【００３６】
そして、装着部６は、該装着部６に対するインクカートリッジ５ａ及び５ｂの位置を決
める第１位置決め部を有している。なお、本実施例の液体収容装置２の第１位置決め部は
、方向Ｘ、方向Ｙ及び方向Ｚの３方向、即ち３次元方向に位置決めしている。このような
構成により、インクカートリッジ５ａ及び５ｂを装着部６に対して適切な位置に固定でき
ることで、第１接続部２０ａ及び２０ｂと第２接続部２１ａ及び２１ｂとの間の接点不良
等を抑制している。すなわち、効果的にインクカートリッジ５ａ及び５ｂを装着部６に装
着した際の不具合を抑制している。
【００３７】
なお、図２、図３、図５及び図６で表されるように、本実施例の液体収容装置２の装着
部６は、箱型であり、インクカートリッジ５ａ及び５ｂを囲う壁部３３が設けられている
。このため、装着部６は、壁部６によりインクカートリッジ５ａ及び５ｂをより確りと位
置決め可能にし、効果的にインクカートリッジ５ａ及び５ｂを装着部６に装着した際の不
具合を抑制している。
【００３８】
また、図１０で表されるように、本実施例の液体収容装置２の装着部６は、該装着部６
に対する第２接続部２１ａ及び２１ｂの方向Ｙ及び方向Ｚの位置を決める第２位置決め部
としての規制部３０及び３１を有している。規制部３０及び３１は、図１０で表されるよ
うに、基板１３の異なる２面と当接することにより、第２接続部２１ａ及び２１ｂ（コネ
クターユニット２９）の方向Ｙ及び方向Ｚの移動を規制している。  
なお、コネクターユニット２９はネジ１５により基板１３と固定されており、カバー１
２によるコネクターユニット２９への付勢力と、第２接続部２１ａ及び２１ｂに対する第
１接続部２０ａ及び２０ｂからの接続に伴う反力とにより、基板１３は規制部３０及び３
１に付勢される。ただし、このような構成に限定されず、コネクターユニット２９を装着
部６に直接固定してもよい。
【００３９】
また、図１１で表されるように、本実施例の液体収容装置２の装着部６は、該装着部６
に対する第２接続部２１ａ及び２１ｂの方向Ｘの位置を決める第２位置決め部としての規
制部３４を有している。規制部３４は、図１１で表されるように、装着部６の被規制部３
５と当接することにより、第２接続部２１ａ及び２１ｂ（コネクターユニット２９）の方
向Ｘの移動を規制している。
【００４０】
このように、本実施例の液体収容装置２の装着部６は、該装着部６に対する第２接続部
２１ａ及び２１ｂの位置を決める第２位置決め部を有している。このため、装着部６に対
して第２接続部２１ａ及び２１ｂを適切な位置に固定し、第１接続部２０ａ及び２０ｂと
第２接続部２１ａ及び２１ｂとの間の接点不良等を効果的に抑制している。すなわち、イ
ンクカートリッジ５ａ及び５ｂを装着部６に装着した際の不具合を効果的に抑制している
。  
特に、方向Ｘ、方向Ｙ及び方向Ｚの３方向、即ち３次元方向に位置決めしているため、
前記第２位置決め部において、より確りと位置決め可能になり、効果的にインクカートリ
ッジ５ａ及び５ｂを装着部６に装着した際の不具合を抑制している。
【符号の説明】
【００４１】
１  記録装置、２  液体収容装置、３  キャリッジ、４  記録ヘッド、
５ａ、５ｂ  インクカートリッジ（収容体）、６  装着部、７ａ、７ｂ  固定部、
８ａ、８ｂ  固定部、９  インク供給口、１０  インク導入部（導入部）、１１  孔部
、
１２  カバー、１３  基板、１４  ネジ穴、１５  ネジ、１６  ネジ穴、
１７  規制部（第１位置決め部）、１８  規制部（第１位置決め部）、
１９  規制部（第１位置決め部）、２０ａ、２０ｂ  第１接続部、
２１ａ、２１ｂ  第２接続部、２２ａ、２２ｂ  基板、２３  キャリッジ３の底面部、
２４  被規制部、２５  被規制部、２６  被規制部、
２７  規制部（第１位置決め部）、２８  被規制部、２９  コネクターユニット、
３０  規制部（第２位置決め部）、３１  規制部（第２位置決め部）、
３２  バネ（付勢部）、３３  壁部、３４  規制部（第２位置決め部）、
３５  被規制部、３６ａ、３６ｂ  第３接続部、３７ａ、３７ｂ  第４接続部、
Ｐ  被記録媒体
【図１】
2015116721.tif 000003
【図２】
2015116721.tif 000004
【図３】
2015116721.tif 000005
【図４】
2015116721.tif 000006
【図５】
2015116721.tif 000007
【図６】
2015116721.tif 000008
【図７】
2015116721.tif 000009
【図８】
2015116721.tif 000010
【図９】
2015116721.tif 000011
【図１０】
2015116721.tif 000012
【図１１】
2015116721.tif 000013